(57)【特許請求の範囲】
【請求項１】
伸縮性を有し、着用者にフィットするように形成された本体部と、
前記本体部の左右の肩甲骨に相当する部位の下側部分から腰部周辺に相当する部位に至る領域に設けられ、着用状態において補整機能を発揮するための緊締部と、
を備え、
前記緊締部は、前記腰部周辺側の方が前記肩甲骨側よりも相対的に易伸縮性を有するように伸縮性調整部材を前記本体部に取り付けて形成されており、
前記伸縮性調整部材として布材を備え、前記緊締部は、上辺部、脇辺部、及び、脇側下辺部が前記本体部に縫着され、腰部側の下辺部の少なくとも一部が前記本体部から遊離するように、前記布材を前記本体部に取り付けて形成されている、
補整機能を有する衣類。
【請求項２】
伸縮性を有し、着用者にフィットするように形成された本体部と、
前記本体部の左右の肩甲骨に相当する部位の下側部分から腰部周辺に相当する部位に至る領域に設けられ、着用状態において補整機能を発揮するための緊締部と、
を備え、
前記緊締部は、前記腰部周辺側の方が前記肩甲骨側よりも相対的に易伸縮性を有するように伸縮性調整部材を前記本体部に取り付けて形成されており、
前記伸縮性調整部材として布材を備え、前記緊締部は、上辺部、脇辺部、及び、後中心側下辺部が前記本体部に縫着され、腰部側の下辺部の少なくとも一部が前記本体部から遊離するように、前記布材を前記本体部に取り付けて形成されている、
補整機能を有する衣類。
【請求項３】
前記緊締部は、右の肩甲骨に相当する部位の下側から斜め下方の後中心線周辺に延在する第１緊締部と、左の肩甲骨に相当する部位の下側から斜め下方の後中心線周辺に延在し前記第１緊締部と重なるように形成された第２緊締部と、を有している、
請求項１又は２に記載の補整機能を有する衣類。
【請求項４】
前記緊締部は、右の肩甲骨に相当する部位の下側から斜め下方の後中心線周辺を経由して腰部の左側周辺に至る第１緊締部と、左の肩甲骨に相当する部位の下側から前記後中心線周辺を経由して腰部の右側周辺に至る第２緊締部と、有し、
前記第１緊締部と前記第２緊締部は、後中心線周辺で重なるように形成されている、
請求項１又は２に記載の補整機能を有する衣類。
【請求項５】
請求項１〜４のいずれか１項に記載の補整機能を有する衣類であって、
腹部に相当する部位から前記緊締部の左右の脇側端部に隣接又は接続する位置へ延在する腹部緊締部と、
背面側の仙骨周辺に相当する部位を経由して前記腹部に相当する部位に至るように前記本体部を周回する下方緊締部と、
を備える、補整機能を有する衣類。
【発明の詳細な説明】
【技術分野】
【０００１】
本発明は、補正機能を有する衣類に関するものである。
【背景技術】
【０００２】
補正機能を有する衣類の中には、例えば、姿勢の補整を行うために、強い緊締力を有する帯状の緊締部を備える姿勢補整衣類がある。この種の姿勢補整衣類が特許文献１〜６に開示されている。特許文献１に開示の姿勢補整衣類では、第１緊締部が、着用者の腹部中央から左右肋骨の下端部を通り背中で互いに連結されており、第２緊締部が、着用者の腹部中央から左側と右側に分かれ、仙骨部の後を通り仙骨部の下部の後中心で互いに連結されている。特許文献２に開示の姿勢補整衣類では、緊締部が、肩峰よりやや後中心側寄りで人体の僧帽筋上部の肩峰側の端近傍部分から肩甲骨内上角近傍を通り、第７胸椎〜第９胸椎のいずれかの近傍を通って逆の脇側の肋骨下部近傍に延在している。特許文献３に開示の姿勢補整衣類では、緊締部が、背中中央付近で交差したＸ字状をなしている。特許文献４に開示の姿勢補整衣類では、緊締部が、後身頃の上部に貼り合わせ生地として裏打ちされている。特許文献５に開示の姿勢補整衣類では、緊締部が、アンダーバスト周り部分と、肩甲骨から背中にかけてクロスさせた形状のクロスゾーン部とに、本体部と一体的に成型されている。特許文献６に開示の姿勢補整衣類では、緊締部が、背中の上部側に、同一方向に傾斜して配列された少なくとも３本の帯状部を２セット左右対称に配置されると共に、互いに交差して配置されている。
【先行技術文献】
【特許文献】
【０００３】
【特許文献１】特開２００８−１４４３０２号公報
【特許文献２】特開平０９−２５０００８号公報
【特許文献３】特開２００４−２６３３６２号公報
【特許文献４】特開２００５−２４８３９１号公報
【特許文献５】特開２００７−１３８３３５号公報
【特許文献６】特開２０１０−０５３４７２号公報
【発明の概要】
【発明が解決しようとする課題】
【０００４】
しかしながら、この種の補正機能を有する衣類では、体を捻るような動作を行う際に、着用者に窮屈感を与えることがある。これは、着用者の動作に対して緊締部が追従し難く、緊締部が突っ張ってしまうことによるものと考えられる。
【０００５】
そこで、本発明では、補整機能と運動追従性とを両立することが可能な補整機能を有する衣類を提供することを目的としている。
【課題を解決するための手段】
【０００６】
本発明の補整機能を有する衣類は、伸縮性を有し、着用者にフィットするように形成された本体部と、本体部の左右の肩甲骨に相当する部位の下側部分から腰部周辺に相当する部位に至る領域に設けられ、着用状態において補整機能を発揮するための緊締部とを備えている。緊締部は、腰部周辺側の方が肩甲骨側よりも相対的に易伸縮性を有するように伸縮性調整部材を本体部に取り付けて形成されている。
【０００７】
この構成によれば、腰部周辺側の方が肩甲骨側よりも易伸縮性を有するように伸縮性調整部材を本体部に取り付けて、姿勢を補整するための緊締部が形成されている。
【０００８】
このため、着用者が体を捻る、屈むといった動作を行う際に、腰部側の緊締部が着用者の体の動きに追従して変位し易くなる。このため、補正機能と運動追従性を両立させることができる。
【０００９】
ここで、下後鋸筋は、背側において、左右の肩甲骨の下部に位置する第９〜第１２肋骨から斜め下方に向けて略Ｖ字状に延在しており、この第９〜第１２肋骨を降下させて呼気を補助するものとされている。
【００１０】
この補整機能を有する衣類によれば、緊締部が、本体部の背側において、左右の肩甲骨の下部に相当する位置から腰部周辺に至る領域に設けられ、下後鋸筋を覆うように延在するので、下後鋸筋に沿って下向きの力を作用させ、背側の第９〜第１２肋骨を降下させることができる。これにより、前側の肋骨が上がり、また、肩が体軸に対して背側に回転する、すなわち、肩が開く。このようにして、胸を張り、背筋を伸ばすように姿勢の補整を行うことができる。
【００１１】
なお、伸縮性調整部材として布材を備え、緊締部は、腰部側の下辺部の少なくとも一部が本体部から遊離するように布材を本体部に取り付けることが好ましい。
【００１２】
例えば、緊締部の全体が衣類本体部に縫着されている場合、上記したように、着用者の動作に対して緊締部が追従し難く、緊締部の縫着部分が突っ張ってしまうことがある。これにより、体を捻るような動作を行う際に、着用者に窮屈感を与えてしまうことがある。
【００１３】
しかしながら、この構成によれば、緊締部の下辺部の少なくとも一部が本体部に対して遊離しているので（例えば、縫着されていないので）、体を捻るような着用者の動作に対して緊締部の下辺部を追従し易くすることができ、緊締部の下辺部が突っ張り難くすることができる。その結果、着用者の窮屈感を低減することができる。
【００１４】
また、伸縮性調整部材として樹脂材を備え、緊締部は、腰部側の下辺部の少なくとも一部に対する単位面積当たりの塗布量が他の部分よりも少なくなるように樹脂材を本体部に塗布することによって形成することが好ましい。
【００１５】
この構成によれば、緊締部の腰部側の下辺部の少なくとも一部が他の部分よりも伸び易く形成されており、体を捻るような着用者の動作に対して緊締部の下辺部が追従し易い。このため、緊締部の下辺部が突っ張り難くすることができる。その結果、着用者の窮屈感を低減することができる。
【００１６】
さらに、緊締部は、右の肩甲骨に相当する部位の下側から斜め下方の後中心線周辺に延在する第１緊締部と、左の肩甲骨に相当する部位の下側から斜め下方の後中心線周辺に延在し第１緊締部と交わる、または、重なるように形成された第２緊締部とを有するものすることが好ましい。
【００１７】
一方、右の肩甲骨に相当する部位の下側から斜め下方の後中心線周辺を経由して腰部の左側周辺に至る第１緊締部と、左の肩甲骨に相当する部位の下側から斜め下方の後中心線周辺を経由して腰部の右側周辺に至るように第２緊締部とを有し、第１緊締部と第２緊締部とが後中心線周辺で重なる、または、交わるようにすることも好ましい。
【発明の効果】
【００１８】
本発明によれば、補正機能と運動追従性とを両立することができる。
【図面の簡単な説明】
【００１９】
【図１】本発明の実施形態に係る姿勢補整衣類の裏側を前面から示す正面図である。
【図２】本発明の実施形態に係る姿勢補整衣類の裏側を背面から示す背面図である。
【図３】図２に示す背側緊締部の重ね合わせ領域と肩甲骨及び下後鋸筋との位置関係を示す図である。
【図４】本発明の第１の変形例に係る姿勢補整衣類の裏側を背面から示す背面図である。
【図５】本発明の第２の変形例に係る姿勢補整衣類の裏側を背面から示す背面図である。
【図６】本発明の第３の変形例に係る姿勢補整衣類の裏側を背面から示す背面図である。
【図７】本発明の第４の変形例に係る姿勢補整衣類の裏側を背面から示す背面図である。
【図８】本発明の第５の変形例に係る姿勢補整衣類の裏側を背面から示す背面図である。
【図９】本発明の第６の変形例に係る姿勢補整衣類の裏側を背面から示す背面図である。
【図１０】本発明の第７の変形例に係る姿勢補整衣類の裏側を背面から示す背面図である。
【図１１】本発明の第８の変形例に係る姿勢補整衣類の裏側を背面から示す背面図である。
【図１２】本発明の第９の変形例に係る姿勢補整衣類の裏側を背面から示す背面図である。
【図１３】本発明の第１０の変形例に係る姿勢補整衣類の裏側を背面から示す背面図である。
【図１４】本発明の第１１の変形例に係る姿勢補整衣類の裏側を背面から示す背面図である。
【図１５】本発明の第１２の変形例に係る姿勢補整衣類の裏側を前面から示す正面図である。
【図１６】本発明の第１２の変形例に係る姿勢補整衣類の裏側を背面から示す背面図である。
【図１７】本発明の第１３の変形例に係る姿勢補整衣類の裏側を背面から示す背面図である。
【図１８】本実施例及び比較例の着用状態の脇側からの撮影結果を忠実に示す図である。
【図１９】比較例の着用状態であって、（ａ）直立状態及び（ｂ）体捻り状態の背側からの撮影結果を忠実に示す図である。
【図２０】本実施例の着用状態であって、（ａ）直立状態及び（ｂ）体捻り状態の背側からの撮影結果を忠実に示す図である。
【発明を実施するための形態】
【００２０】
以下、図面を参照して本発明の補整機能を有する衣類の好適な実施形態として姿勢補整衣類について詳細に説明する。なお、各図面において同一又は相当の部分に対しては同一の符号を附すこととする。
【００２１】
図１は、本発明の実施形態に係る姿勢補整衣類の裏側を前面から示す正面図であり、図２は、本発明の実施形態に係る姿勢補整衣類の裏側を背面から示す背面図である。図１及び２に示す姿勢補整衣類１は、本体部１０と、前側緊締部２０と、背側緊締部３０と、下裾緊締部４０とを備えている。
【００２２】
本体部１０は、いわゆるタンクトップ型の衣類であり、着用者にフィットするように形成されている。本体部１０には、伸縮性を有する生地、例えば、パワーネット、サテンネット、トリコネット、ツーウェイトリコット、ツーウェイラッセル等の生地が適用可能である。本実施形態では、本体部１０には、ツーウェイラッセルを用いることとする。本体部１０は、前身頃と後身頃とを有し、これらを両脇側の縫合ラインＬ１に沿って縫合することにより形成されている。本体部１０の前身頃において、着用者の乳房に対応する位置には、カップ部１２が設けられている。また、本体部１０の前身頃の肌側には、前側緊締部２０が設けられている。前側緊締部２０は、当て布を本体部１０に取り付けることによって形成されている。また、本体部１０の後身頃の肌側には、背側緊締部３０が設けられている。また、本体部１０の下裾部の肌側には、下裾緊締部４０が設けられている。
【００２３】
前側緊締部２０の緊締力は、本体部１０の緊締力よりも強くなるように、当て布２２０，２４０，２６０を本体部１０に取り付けて形成されている。同様に、背側緊締部３０は、本体部１０よりも緊締力が強くなるように、当て布３２０，３４０を本体部１０に取り付けて形成されている。下裾緊締部４０の緊締力は、本体部１０の緊締力よりも強くなるように、当て布４００を本体部１０に取り付けて形成されている。これらの当て布には、難伸縮性または伸縮性の生地、例えば、パワーネット、サテンネット、トリコネット、ツーウェイトリコット、ツーウェイラッセル等の生地が適用可能である。本実施形態では、前側緊締部２０、背側緊締部３０、及び、下裾緊締部４０には、サテンネットを用いることとする。当て布３２０、３４０が、特許請求の範囲に記載の伸縮性調整部材及び布材に相当する。
【００２４】
前側緊締部２０は、第１の前側緊締部２２と、第２の前側緊締部２４と、第３の前側緊締部２６とを有する。第１の前側緊締部２２は、着用者の胸部中央から腹部中央に向かって上下方向に延在している。第１の前側緊締部２２の腹部中央側の下端部は、略Ｖ字状をなしている。
【００２５】
第２の前側緊締部２４は、着用者胴体の脇部に配置され、着用者の体軸に対し左右対称に形成されている。第２の前側緊締部２４は、第１の前側緊締部２２の腹部中央部分から左右肋骨の下部に向かって斜め上方に延在している。
【００２６】
第３の前側緊締部２６は、着用者胴体の下部に配置され、着用者の体軸に対し左右対称に形成されている。第３の前側緊締部２６は、着用者の腹部中央から左右の脇側に向かって斜め下方向に延在している。すなわち、第３の前側緊締部２６の上辺部は、逆Ｖ字状をなしている。なお、第３の前側緊締部２６は、後述する下裾緊締部４０の一部をなしている。
【００２７】
これらの第１〜第３の前側緊締部２２〜２６によって、着用者の腹部上部から腹部下部までに加え、腹部脇側をも引き締めることが可能となる。
【００２８】
また、第１及び第３の前側緊締部２２，２６は、着用者の腹部中央に対応する部分で重ね合わされ、略ひし形形状の重ね合わせ領域２８を形成する。この重ね合わせ領域２８は、本体部１０と、第１及び第３の前側緊締部２２，２６とからなり、三枚構造となっている。この重ね合わせ領域２８によって、腹部中央周辺の腹筋群を強くサポートし、お腹を引き締める効果を向上させることができる。
【００２９】
次に、背側緊締部３０は、第１の背側緊締部３２と、第２の背側緊締部３４とを有する。第１の背側緊締部３２は、当て布３２０を本体部１０に取り付けて形成されている。第２の背側緊締部３４は、当て布３４０を本体部１０に取り付けて形成されている。第１及び第２の背側緊締部３２，３４は、着用者胴体の上部に配置され、着用者の体軸に対し左右対称に形成されている。第１の背側緊締部３２は、左側の肩甲骨の中間部から反対側の右側の肋骨の下部に向かって斜め下方に延在している。一方、第２の背側緊締部３４は、右側の肩甲骨の中間部から反対側の左側の肋骨の下部に向かって斜め下方の腰部周辺領域ＬＢに向かって延在している。ここで、図２、３の符号ＬＢは、腰部周辺領域を示している。
【００３０】
第１及び第２の背側緊締部３２，３４は、着用者の背部中央に対応する部分で重ね合わされ、重ね合わせ領域３６を形成する。この重ね合わせ領域３６は、本体部１０と、第１及び第２の背側緊締部３２，３４とからなり、三枚構造となっている。このため、他の部分よりも大きな緊締力を着用者の背中中央部分に作用する。また、重ね合わせ領域３６以外の部分では、第１及び第２の背側緊締部３２，３４は重ならないため、背中中央部分よりも作用する緊締力を小さなものとすることができる。このため、着用状態において背中中央部に大きな緊締力を作用させつつ、左右の脇側部分に作用する緊締力を低減することができる。
【００３１】
また、重ね合わせ領域３６は、略ひし形形状をなしており、図３に示すように、左右の肩甲骨Ａの下部に相当する位置から下後鋸筋Ｂの筋繊維に沿って斜め下方に延在することとなる。
【００３２】
第１の背側緊締部３２の上辺部３２ｕ、脇辺部３２ｓ、及び、脇側下辺部３２ｓｌは、本体部１０に縫着されており、その他の部分は縫着されていない。すなわち、第１の背側緊締部３２の下辺部３２ｌは縫着されていない。同様に、第２の背側緊締部３４の上辺部３４ｕ、脇辺部３４ｓ、及び、脇側下辺部３４ｓｌは、本体部１０に縫着されており、その他の部分は縫着されていない。すなわち、第２の背側緊締部３４の下辺部３４ｌは縫着されていない。これにより、腰部周辺側（すなわち、腰部周辺に近接する側）の下辺部３２ｌ、３４ｌ側の方が、着用者の体の動きに追従して変位し易くしている。
【００３３】
すなわち、この第１及び第２の背側緊締部３２，３４の重ね合わせ領域３６の上辺部３６ｕは本体部１０に縫着されており、下辺部３６ｌは縫着されていない。その結果、重ね合わせ領域３６の下辺部３６ｌは、上辺部３６ｕよりも緊締力が作用し難くなっている。
【００３４】
ここで、第１及び第２の背側緊締部３２，３４のうち、上辺部３２ｕ、上辺部３４ｕ、脇辺部３４ｓ、で囲まれた領域Ｐと、上辺部３２ｕ、上辺部３４ｕ、脇辺部３２ｓ、で囲まれた領域Ｑは、左右の肩甲骨の一部を覆うように形成されている。領域Ｐ、Ｑの上端３４ｔ、３２ｔは、それぞれ本体部１０に対して遊離している。このため、領域Ｐ、Ｑが作用させる緊締力を小さくしている。これにより、肩甲骨の動作が抑制されることを防止している。なお、この第１及び第２の背側緊締部３２，３４のうち、上記の領域Ｑ、Ｐを除く領域が、特許請求の範囲に記載の緊締部に相当する。
【００３５】
次に、下裾緊締部４０は、本体部１０の下裾部に沿って周回して延在している。下裾緊締部４０は、後身頃において着用者の臀部の丸みに合わせるように下方に略凸状に湾曲している。この場合には、姿勢補整衣類１が着用者の臀部の丸みに好適にフィットすることができると共に、姿勢補整衣類１のずりあがりを防止することができる。
【００３６】
このように、本実施形態の姿勢補整衣類１によれば、第１及び第２の背側緊締部３２，３４の重ね合わせ領域３６が、本体部１０の背側において、左右の肩甲骨の下部に相当する位置から腰部周辺に至る領域に設けられ、下後鋸筋を覆うように延在するので、下後鋸筋に沿って下向きの力を作用させ、背側の第９〜第１２肋骨を降下させることができる。これにより、前側の肋骨が上がり、また、肩が体軸に対して背側に回転する、すなわち、肩が開く。このようにして、胸を張り、背筋を伸ばすように姿勢の補整を行うことができる。
【００３７】
また、本実施形態の姿勢補整衣類１によれば、第１及び第２の背側緊締部３２，３４の重ね合わせ領域３６における下辺部３６ｌの緊締力が上辺部３６ｕの緊締力よりも弱いので、体を捻るような着用者の動作に対して、第１及び第２の背側緊締部３２，３４の重ね合わせ領域３６の下辺部３６ｌを追従し易くすることができ、下辺部３６ｌが突っ張り難くすることができる。その結果、着用者の窮屈感を低減することができる。
【００３８】
換言すれば、本実施形態の姿勢補整衣類１によれば、腰部周辺側の方が肩甲骨側よりも易伸縮性を有するように当て布を本体部に取り付けて緊締部が形成されているので、着用者が体を捻る、屈むといった動作を行う際に、腰部側の緊締部が着用者の体の動きに追従して変位し易くなる。このため、姿勢補整力と運動追従性を両立させることができる。
【００３９】
なお、上記実施形態では、第１の背側緊締部３２の下辺部３２ｌ、第２の背側緊締部３４の下辺部３４ｌ、重ね合わせ領域３６の下辺部３６ｌが縫着されていない例を挙げて説明したが、例えば、下辺部３６ｌについては本体部１０に縫着するようにしても良い。また、下辺部３６ｌと下辺部３６ｌに近接する下辺部３２ｌ、３４ｌの上側部分を縫着し、下辺部３２ｌ、３４ｌの下側部分を縫着しないようにしても良い。
【００４０】
また、本実施形態の姿勢補整衣類１によれば、下裾緊締部４０が本体部１０の下裾部に沿って周回して延在するので、本体部１０のずり上がりを低減することができる。その結果、背側緊締部３０による姿勢補整力、及び、前側緊締部２０による腹部引き締め力を保持することができる。
【００４１】
なお、上記実施形態では、姿勢補整衣類１は、本体部１０と、前側緊締部２０と、背側緊締部３０と、下裾緊締部４０とを備えている例を挙げて説明したが、本発明は、これに限定されるものではない。例えば、背側緊締部３０だけを備えた姿勢補整衣類としても良い。また、領域Ｐ、Ｑを除く背側緊締部３０を備えた補正衣類としても良い。
【００４２】
また、上記実施形態では、姿勢補整機能を有する衣類を例に挙げて説明しているが、本発明は、これに限定されるものではない。本体部１０と背側緊締部３０とを備えた体型補整機能、いわゆるスムージング効果を有する補整衣類としても良い。この場合には、体型補整機能を有する衣類において、緊締部を突っ張り難くすることができる。
【００４３】
なお、本発明は上記した本実施形態に限定されることなく種々の変形が可能である。例えば、前側緊締部２０、背側緊締部３０、及び、下裾緊締部４０の態様は本実施形態に限定されることなく様々に変形されてもよい。以下に、背側緊締部３０のいくつかの変形例を例示する。
［第１の変形例］
【００４４】
図４は、本発明の第１の変形例に係る姿勢補整衣類の裏側を背面から示す背面図である。図４に示す姿勢補整衣類１Ａは、姿勢補整衣類１において背側緊締部３０に代えて背側緊締部３０Ａを備えている構成で第１の実施形態と異なっている。姿勢補整衣類１Ａのその他の構成は、姿勢補整衣類１と同一である。
【００４５】
背側緊締部３０Ａは、第１の背側緊締部３２Ａと、第２の背側緊締部３４Ａとを有する。第１及び第２の背側緊締部３２Ａ，３４Ａは、左右の肩甲骨の下部から斜め下方に延びている点で、第１及び第２の背側緊締部３２，３４と異なっている。第１及び第２の背側緊締部３２Ａ，３４Ａも、着用者の背部中央に対応する部分で重ね合わされ、重ね合わせ領域３６Ａを形成する。この重ね合わせ領域３６Ａも、略ひし形形状をなしており、左右の肩甲骨の下部に相当する位置から下後鋸筋を覆うように斜め下方に延在している。なお、この第１及び第２の背側緊締部３２Ａ，３４Ａが、特許請求の範囲に記載の緊締部に相当する。
【００４６】
第１の背側緊締部３２Ａの上辺部３２ｕ、脇辺部３２ｓ、及び、脇側下辺部３２ｓｌは、本体部１０に縫着されており、その他の部分は縫着されていない。すなわち、第１の背側緊締部３２Ａの下辺部３２ｌは縫着されていない。同様に、第２の背側緊締部３４Ａの上辺部３４ｕ、脇辺部３４ｓ、及び、脇側下辺部３４ｓｌは、本体部１０に縫着されており、その他の部分は縫着されていない。すなわち、第２の背側緊締部３４Ａの下辺部３４ｌは縫着されていない。
【００４７】
すなわち、この第１及び第２の背側緊締部３２Ａ，３４Ａの重ね合わせ領域３６Ａの上辺部３６ｕは本体部１０に縫着されており、下辺部３６ｌは縫着されていない。このため、着用者が体を捻る動作を行っても、着用者の動作に追随して下辺部３６ｌ周辺の背側緊締部３２Ａ、３４Ａが伸縮することができる。
【００４８】
この第１の変形例の姿勢補整衣類１Ａでも、本実施形態の姿勢補整衣類１と同様の効果を得ることができる。
［第２の変形例］
【００４９】
図５は、本発明の第２の変形例に係る姿勢補整衣類の裏側を背面から示す背面図である。図５に示す姿勢補整衣類１Ｂは、姿勢補整衣類１Ａにおいて背側緊締部３０Ａに代えて背側緊締部３０Ｂを備えている構成で第１の変形例と異なっている。姿勢補整衣類１Ｂのその他の構成は、姿勢補整衣類１Ａと同一である。
【００５０】
背側緊締部３０Ｂは、第１の背側緊締部３２Ｂと、第２の背側緊締部３４Ｂとを有する。第１及び第２の背側緊締部３２Ｂ，３４Ｂは、幅が狭くなっており、略Ｘ字形状をなしている点で、第１及び第２の背側緊締部３２Ａ，３４Ａと異なっている。第１及び第２の背側緊締部３２Ｂ，３４Ｂも、着用者の背部中央に対応する部分で重ね合わされ、重ね合わせ領域３６Ｂを形成する。この第２の変形例では、重ね合わせ領域３６Ｂのみならず、第１及び第２の背側緊締部３２Ｂ，３４Ｂ全体によって、左右の肩甲骨の下部に相当する位置から下後鋸筋の筋繊維に沿って斜め下方に延在することとなる。よって、この第２の変形例では、第１及び第２の背側緊締部３２Ｂ，３４Ｂ全体が特許請求の範囲に記載の緊締部に相当する。
【００５１】
第１の背側緊締部３２Ｂの上辺部３２ｕ、脇辺部３２ｓ、及び、脇側下辺部３２ｓｌは、本体部１０に縫着されており、その他の部分は縫着されていない。すなわち、第１の背側緊締部３２Ｂの下辺部３２ｌは縫着されていない。同様に、第２の背側緊締部３４Ｂの上辺部３４ｕ、脇辺部３４ｓ、及び、脇側下辺部３４ｓｌは、本体部１０に縫着されており、その他の部分は縫着されていない。すなわち、第２の背側緊締部３４Ｂの下辺部３４ｌは縫着されていない。
【００５２】
なお、第１の背側緊締部３２Ｂの上辺部３２ｋ、第２の背側緊締部３４Ｂの上辺部３４ｋについては、姿勢補整衣類１Ｂの仕様に応じて本体部１０に縫着するものとしてもよいし、縫着しないものとしてもよい。
【００５３】
この第２の変形例の姿勢補整衣類１Ｂでも、本実施形態の姿勢補整衣類１と同様の効果を得ることができる。
［第３の変形例］
【００５４】
図６は、本発明の第３の変形例に係る姿勢補整衣類の裏側を背面から示す背面図である。図６に示す姿勢補整衣類１Ｃは、姿勢補整衣類１Ｂにおいて背側緊締部３０Ｂに代えて背側緊締部３０Ｃを備えている構成で第２の変形例と異なっている。姿勢補整衣類１Ｃのその他の構成は、姿勢補整衣類１Ｂと同一である。
【００５５】
背側緊締部３０Ｃは、第１の背側緊締部３２Ｃと、第２の背側緊締部３４Ｃとを有する。第１及び第２の背側緊締部３２Ｃ，３４Ｃは、更に幅が狭くなっている点で、第１及び第２の背側緊締部３２Ｂ，３４Ｂと異なっている。第１及び第２の背側緊締部３２Ｃ，３４Ｃも、着用者の背部中央に対応する部分で重ね合わされ、重ね合わせ領域３６Ｃを形成する。この第３の変形例でも、重ね合わせ領域３６Ｃのみならず、第１及び第２の背側緊締部３２Ｃ，３４Ｃ全体によって、左右の肩甲骨の下部に相当する位置から下後鋸筋の筋繊維に沿って斜め下方に延在することとなる。よって、この第３の変形例では、第１及び第２の背側緊締部３２Ｃ，３４Ｃ全体が特許請求の範囲に記載の緊締部に相当する。
【００５６】
第１の背側緊締部３２Ｃの上辺部３２ｕ及び脇側下辺部３２ｓｌは、本体部１０に縫着されており、その他の部分は縫着されていない。すなわち、第１の背側緊締部３２Ｃの下辺部３２ｌは縫着されていない。同様に、第２の背側緊締部３４Ｃの上辺部３４ｕ及び脇側下辺部３４ｓｌは、本体部１０に縫着されており、その他の部分は縫着されていない。すなわち、第２の背側緊締部３４Ｃの下辺部３４ｌは縫着されていない。
【００５７】
なお、第１の背側緊締部３２Ｃの上辺部３２ｋ、第２の背側緊締部３４Ｃの上辺部３４ｋについては、姿勢補整衣類１Ｃの仕様に応じて本体部１０に縫着するものとしてもよいし、縫着しないものとしてもよい。
【００５８】
この第３の変形例の姿勢補整衣類１Ｃでも、本実施形態の姿勢補整衣類１と同様の効果を得ることができる。
［第４の変形例］
【００５９】
図７は、本発明の第４の変形例に係る姿勢補整衣類の裏側を背面から示す背面図である。図７に示す姿勢補整衣類１Ｄは、姿勢補整衣類１Ａにおいて背側緊締部３０Ａに代えて背側緊締部３０Ｄを備えている構成で第１の変形例と異なっている。姿勢補整衣類１Ｄのその他の構成は、姿勢補整衣類１Ａと同一である。
【００６０】
背側緊締部３０Ｄは、１枚生地で形成されている点で、背側緊締部３０Ａと異なっている。背側緊締部３０Ｄは、着用者の背部中央を覆うように、左右の肩甲骨の下部に相当する位置から下方に延在する。すなわち、背側緊締部３０Ｄは、背部中央を全体的に覆うことによって、下後鋸筋を覆うように延在することとなる。なお、この背側緊締部３０Ｄが、特許請求の範囲に記載の緊締部に相当する。
【００６１】
背側緊締部３０Ｄの上辺部３０ｕ、脇辺部３０ｓ、及び、脇側下辺部３０ｓｌは、本体部１０に縫着されており、その他の部分は縫着されていない。すなわち、背側緊締部３０Ｄの下辺部３０ｌは縫着されていない。
【００６２】
この第４の変形例の姿勢補整衣類１Ｄでも、本実施形態の姿勢補整衣類１と同様の効果を得ることができる。
［第５の変形例］
【００６３】
図８は、本発明の第５の変形例に係る姿勢補整衣類の裏側を背面から示す背面図である。図８に示す姿勢補整衣類１Ｅは、姿勢補整衣類１Ｄにおいて背側緊締部３０Ｄに代えて背側緊締部３０Ｅを備えている構成で第４の変形例と異なっている。姿勢補整衣類１Ｅのその他の構成は、姿勢補整衣類１Ｄと同一である。
【００６４】
背側緊締部３０Ｅも、１枚生地で形成されている。背側緊締部３０Ｅは、着用者の背部中央において略ひし形形状をなしている点で背側緊締部３０Ｄと異なっている。背側緊締部３０Ｅも、左右の肩甲骨の下部に相当する位置から下後鋸筋を覆うように斜め下方に延在する。なお、この背側緊締部３０Ｅが、特許請求の範囲に記載の緊締部に相当する。
【００６５】
背側緊締部３０Ｅの上辺部３０ｕ、脇辺部３０ｓ、及び、後中心側下辺部３０ｃｌは、本体部１０に縫着されており、その他の部分は縫着されていない。すなわち、背側緊締部３０Ｅの下辺部３０ｌは縫着されていない。
【００６６】
この第５の変形例の姿勢補整衣類１Ｅでも、本実施形態の姿勢補整衣類１と同様の効果を得ることができる。
［第６の変形例］
【００６７】
図９は、本発明の第６の変形例に係る姿勢補整衣類の裏側を背面から示す背面図である。図９に示す姿勢補整衣類１Ｆは、姿勢補整衣類１Ｅにおいて背側緊締部３０Ｅに代えて背側緊締部３０Ｆを備えている構成で第５の変形例と異なっている。姿勢補整衣類１Ｆのその他の構成は、姿勢補整衣類１Ｅと同一である。
【００６８】
背側緊締部３０Ｆは、着用者の背部中央において略Ｖ字形状をなしている点で、背側緊締部３０Ｅと異なっている。背側緊締部３０Ｆも、左右の肩甲骨の下部に相当する位置から下後鋸筋の筋繊維に沿って斜め下方に延在する。なお、この背側緊締部３０Ｆが、特許請求の範囲に記載の緊締部に相当する。
【００６９】
背側緊締部３０Ｆの上辺部３０ｕ及び後中心側下辺部３０ｃｌは、本体部１０に縫着されており、その他の部分は縫着されていない。すなわち、背側緊締部３０Ｆの下辺部３０ｌは縫着されていない。
【００７０】
なお、背側緊締部３０Ｆの上辺部３０ｋについては、姿勢補整衣類１Ｆの仕様に応じて本体部１０に縫着するものとしてもよいし、縫着しないものとしてもよい。
【００７１】
この第６の変形例の姿勢補整衣類１Ｆでも、本実施形態の姿勢補整衣類１と同様の効果を得ることができる。
［第７の変形例］
【００７２】
図１０は、本発明の第７の変形例に係る姿勢補整衣類の裏側を背面から示す背面図である。図１０に示す姿勢補整衣類１Ｇは、姿勢補整衣類１Ｅにおいて背側緊締部３０Ｅに代えて背側緊締部３０Ｇを備えている構成で第５の変形例と異なっている。姿勢補整衣類１Ｇのその他の構成は、姿勢補整衣類１Ｅと同一である。
【００７３】
姿勢補整衣類１Ｇは、第１の背側緊締部３２Ｇと第２の背側緊締部３４Ｇとの２枚生地で形成されている点で、背側緊締部３０Ｅと異なっている。すなわち、第１の背側緊締部３２Ｇは背側緊締部３０Ｅの左半分を形成し、第２の背側緊締部３４Ｇは背側緊締部３０Ｅの右半分を形成する。第１及び第２の背側緊締部３２Ｇ，３４Ｇは、着用者の背部中央において略ひし形形状をなしており、左右の肩甲骨の下部に相当する位置から下後鋸筋の筋繊維を覆うように下方に延在する。なお、この第１及び第２の背側緊締部３２Ｇ，３４Ｇが、特許請求の範囲に記載の緊締部に相当する。
【００７４】
第１背側緊締部３２Ｇの上辺部３２ｕ、脇辺部３２ｓ、後中心側下辺部３２ｃｌ、及び、第２の背側緊締部３４Ｇの上辺部３４ｕ、脇辺部３４ｓ、後中心側下辺部３４ｃｌは、本体部１０に縫着されており、その他の部分は縫着されていない。すなわち、第１及び第２の背側緊締部３２Ｇ，３４Ｇの下辺部３２ｌ，３４ｌは縫着されていない。
【００７５】
この第７の変形例の姿勢補整衣類１Ｇでも、本実施形態の姿勢補整衣類１と同様の効果を得ることができる。
［第８の変形例］
【００７６】
図１１は、本発明の第８の変形例に係る姿勢補整衣類の裏側を背面から示す背面図である。図１１に示す姿勢補整衣類１Ｈは、姿勢補整衣類１Ｇにおいて背側緊締部３０Ｇに代えて背側緊締部３０Ｈを備えている構成で第７の変形例と異なっている。姿勢補整衣類１Ｈのその他の構成は、姿勢補整衣類１Ｇと同一である。
【００７７】
背側緊締部３０Ｈも、第１の背側緊締部３２Ｈと第２の背側緊締部３４Ｈとの２枚生地で形成されている。第１及び第２の背側緊締部３２Ｈ，３４Ｈは、着用者の背部中央において略Ｖ字形状をなしている点で、背側緊締部３０Ｇと異なっている。第１及び第２の背側緊締部３２Ｈ，３４Ｈは、左右の肩甲骨の下部に相当する位置から下後鋸筋の筋繊維に沿って斜め下方に延在する。なお、この第１及び第２の背側緊締部３２Ｈ，３４Ｈが、特許請求の範囲に記載の緊締部に相当する。
【００７８】
第１背側緊締部３２Ｈの上辺部３２ｕ、後中心側下辺部３２ｃｌ、及び、第２の背側緊締部３４Ｈの上辺部３４ｕ、後中心側下辺部３４ｃｌは、本体部１０に縫着されており、その他の部分は縫着されていない。すなわち、第１及び第２の背側緊締部３２Ｈ，３４Ｈの下辺部３２ｌ，３４ｌは縫着されていない。
【００７９】
なお、第１の背側緊締部３２Ｈの上辺部３２ｋと、第２の背側緊締部３４Ｈの上辺部３４ｋについては、姿勢補整衣類１Ｈの仕様に応じて本体部１０に縫着するものとしても良いし、縫着しないものとしても良い。
【００８０】
この第８の変形例の姿勢補整衣類１Ｈでも、本実施形態の姿勢補整衣類１と同様の効果を得ることができる。
［第９の変形例］
【００８１】
図１２は、本発明の第９の変形例に係る姿勢補整衣類の裏側を背面から示す背面図である。図１２に示す姿勢補整衣類１Ｉは、姿勢補整衣類１Ｇにおいて背側緊締部３０Ｇに代えて背側緊締部３０Ｉを備えている構成で第７の変形例と異なっている。姿勢補整衣類１Ｉのその他の構成は、姿勢補整衣類１Ｇと同一である。
【００８２】
背側緊締部３０Ｉも、第１の背側緊締部３２Ｉと第２の背側緊締部３４Ｉとの２枚生地で形成されている。第１及び第２の背側緊締部３２Ｉ，３４Ｉは、着用者の背部中央のみならず、背部中央及び腰部中央において略Ｖ字形状をなしている点で、背側緊締部３０Ｇと異なっている。また、第１及び第２の背側緊締部３２Ｉ，３４Ｉは、着用者の背部中央及び腰部中央に対応する部分で重ね合わされ、重ね合わせ領域３６Ｉを形成している点で、背側緊締部３０Ｇと異なっている。この第９の変形例では、重ね合わせ領域３６Ｉのみならず、第１及び第２の背側緊締部３２Ｉ，３４Ｉ全体によって、左右の肩甲骨の下部に相当する位置から下後鋸筋の筋繊維に沿って斜め下方に延在することとなる。よって、この第９の変形例では、第１及び第２の背側緊締部３２Ｉ，３４Ｉが特許請求の範囲に記載の緊締部に相当する。
【００８３】
第１背側緊締部３２Ｉの上辺部３２ｕ、後中心側下辺部３２ｃｌ、及び、第２の背側緊締部３４Ｉの上辺部３４ｕ、後中心側下辺部３４ｃｌは、本体部１０に縫着されており、その他の部分は縫着されていない。すなわち、第１及び第２の背側緊締部３２Ｉ，３４Ｉの下辺部３２ｌ，３４ｌは縫着されていない。
【００８４】
なお、第１の背側緊締部３２Ｉの上辺部３２ｋと、第２の背側緊締部３４Ｉの上辺部３４ｋについては、姿勢補整衣類１Ｉの仕様に応じて本体部１０に縫着するものとしても良いし、縫着しないものとしても良い。
【００８５】
この第９の変形例の姿勢補整衣類１Ｉでも、本実施形態の姿勢補整衣類１と同様の効果を得ることができる。
［第１０の変形例］
【００８６】
図１３は、本発明の第１０の変形例に係る姿勢補整衣類の裏側を背面から示す背面図である。図１３に示す姿勢補整衣類１Ｊは、姿勢補整衣類１Ｉにおいて背側緊締部３０Ｉに代えて背側緊締部３０Ｊを備えている構成で第９の変形例と異なっている。姿勢補整衣類１Ｊのその他の構成は、姿勢補整衣類１Ｉと同一である。
【００８７】
背側緊締部３０Ｊは、１枚生地で形成されており、また、幅が狭くなっている点で、背側緊締部３０Ｉと異なっている。背側緊締部３０Ｊは、着用者の背部中央及び腰部中央において略Ｖ字形状をなしており、左右の肩甲骨の下部に相当する位置から下後鋸筋の筋繊維に沿って斜め下方に延在する。なお、この背側緊締部３０Ｊが、特許請求の範囲に記載の緊締部に相当する。
【００８８】
背側緊締部３０Ｊの上辺部３０ｕ及び後中心側下辺部３０ｃｌは、本体部１０に縫着されており、その他の部分は縫着されていない。すなわち、背側緊締部３０Ｊの下辺部３０ｌは縫着されていない。
【００８９】
なお、背側緊締部３０Ｊの上辺部３０ｋについては、姿勢補整衣類１Ｉの仕様に応じて本体部１０に縫着するものとしても良いし、縫着しないものとしても良い。
【００９０】
この第１０の変形例の姿勢補整衣類１Ｊでも、本実施形態の姿勢補整衣類１と同様の効果を得ることができる。
【００９１】
ここで、本実施形態及び本変形例では、前側緊締部、背側緊締部、及び、下裾緊締部を本体部に当て布として縫着する一例を示したが、これらの緊締部の当て布は接着剤等で貼り付けてもよい。
【００９２】
また、上記実施形態及び上記変形例では、本体部に当て布を取り付けて緊締部を形成する例を挙げているが、当て布を本体部に取り付ける代わりに、本体部に対してオパール加工（抜触加工）を施すことによって形成しても良い。具体的には、上記実施形態における緊締部に相当する部分の伸度を他の部分よりも小さくすることが考えられる。
【００９３】
また、ポリエステルやウレタン等の樹脂を本体部に塗布することによって緊締部を形成しても良い（樹脂加工）。樹脂加工によって緊締部を形成する場合について、より具体的に説明すると以下の通りである。例えば、姿勢補整衣類１Ａ〜１Ｊ、１Ｌ、１Ｍの背側緊締部が設けられている部分に樹脂材を塗布する。この際、背側緊締部各辺部のうち、本体部に縫着していない下辺部（例えば、姿勢補整衣類１Ａの場合には下辺部３２ｌ、３４ｌ）周辺に対する樹脂材の単位面積当たりの塗布量を少なくする。これにより、背側緊締部の他の部分よりも下辺部周辺が伸び易くなる。一方、重ね合わせ領域（例えば、姿勢補整衣類１Ａの場合には、重ね合わせ領域３６）周辺に対する塗布量を他の緊締部の領域よりも多くする。これにより、背側緊締部の他の部分よりも重ね合わせ領域における伸度を低くすることができ、上記実施形態に係る姿勢補整衣類１Ａと同様の効果を得ることができる。ここでは、姿勢補整衣類１Ａを例に挙げて説明したが、姿勢補整衣類１Ｂ〜１Ｊについても、背側緊締部のうち、本体部１０に縫着していない下辺部周辺における樹脂材の塗布量を少なくする。さらに、重ね合わせ領域が設けられている変形例については、上記のように、重ね合わせ領域周辺の樹脂材の塗布量を多くすることにより、当て布によって背側緊締部を形成する場合と同様の効果を得ることもできる。
【００９４】
また、本実施形態及び本変形例では、緊締力が上辺部から下辺部へ向けて次第に弱くなるように、背側緊締部を形成してもよい。そのために、例えば、背側緊締部は、縦編素材や丸編素材の編組織を変化させたり、複数の生地により構成したり、オパール加工や樹脂加工においては伸度を調整したりしてもよい。以下では、樹脂加工において伸度を調整した背側緊締部の一例を示す。
［第１１の変形例］
【００９５】
図１４は、本発明の第１１の変形例に係る姿勢補整衣類の裏側を背面から示す背面図である。図１４に示す姿勢補整衣類１Ｋは、姿勢補整衣類１において背側緊締部３０に代えて背側緊締部３０Ｋを備えている構成で第１の変形例と異なっている。姿勢補整衣類１Ｋのその他の構成は、姿勢補整衣類１と同一である。
【００９６】
背側緊締部３０Ｋは、樹脂加工によって本体部１０に形成されている。背側緊締部３０Ｋは、背側緊締部３０Ｋは、着用者の背部中央に対応する部分において略ひし形形状をなしており、左右の肩甲骨の下部に相当する位置から下後鋸筋を覆うように下方に延在することとなる。背側緊締部３０Ｋでは、上辺部３０ｕから下辺部３０ｌに向けて所定の間隔毎に領域Ｐ１、Ｐ２、Ｐ３というように複数の領域に区画されており、各領域毎に樹脂材の塗布量を変更し、上辺部３０ｕから下辺部３０ｌに向けて次第に伸び易くなるように形成されている。これにより、下辺側の緊締力を小さくしている。なお、本実施形態では、上下方向に８つの領域Ｐに背側緊締部が区画されている例を挙げているが、領域Ｐの個数については、姿勢補整衣類の仕様に応じて領域Ｐの個数が２つ以上となるように適宜設定すればよい。
【００９７】
この第１１の変形例の姿勢補整衣類１Ｋでも、本実施形態の姿勢補整衣類１と同様の効果を得ることができる。
［第１２の変形例］
【００９８】
図１５は、本発明の第１２の変形例に係る姿勢補整衣類の裏側を前面から示す正面図であり、図１６は、本発明の第１２の変形例に係る姿勢補整衣類の裏側を背面から示す背面図である。図１５及び図１６に示す姿勢補整衣類１Ｌは、姿勢補整衣類１の前側緊締部２０、下裾緊締部４０を備えないものとし、本体部１０の丈長さを短くした本体部１０Ａを備えたものである。姿勢補整衣類１Ｌのその他の構成は、姿勢補整衣類１と同一である。
［第１３の変形例］
【００９９】
図１７は、本発明の第１３の変形例に係る姿勢補整衣類１Ｍの裏側を背面から示す背面図である。図１８に示す姿勢補整衣類１Ｍは、第１２の変形例に係る姿勢補整衣類１Ｌよりも丈長さをさらに短くした本体部１０Ｂを備えたものである。その他の構成は、姿勢補整衣類１Ｌと同様である。
【０１００】
第１２の変形例の姿勢補整衣類１Ｌ、及び、第１３の変形例の姿勢補整衣類１Ｍのように、丈長さが短い場合には、背側緊締部のみを備える形態であってもよい。
【０１０１】
なお、本実施形態及び本変形例では、タンクトップ形状の本体部を備える衣類を例示したが、本発明はこれに限定されるものではない。本発明は、身頃付きのカップ部を有する衣類にも適用することができる。具体的には、例えば、ボディースーツや、ロングブラジャー等の身頃部分を有するブラジャー、または、スポーツタイプのブラジャーとしても良い。
【実施例１】
【０１０２】
図１及び２に示す本発明の実施形態の姿勢補整衣類１を実施例として製作し、比較例との対比評価を行った。
【０１０３】
ここで、本実施例に対して対比を行った比較例は、本実施例において第１の背側緊締部３２の下辺部３２ｌ、及び、第２の背側緊締部３４の下辺部３４ｌが縫着されている点で本実施例と異なるものである。
【０１０４】
本評価では、本発明の実施例と比較例とをそれぞれ着用した状態を脇側から撮影した。この撮影結果を図１８に忠実に示す。図１８には、本実施例の姿勢補整衣類１の着用状態の撮影結果を実線で示し、比較例の着用状態の撮影結果を点線で示す。
【０１０５】
図１８によれば、本実施例の姿勢補整衣類１を着用した場合、比較例を着用した場合に比べて、胸を張り、背筋を伸ばすように姿勢の補整を行うことができた。
【０１０６】
また、本評価では、本発明の実施例と比較例とをそれぞれ着用した状態を背側から撮影した。この撮影結果を図１９及び図２０に忠実に示す。図１９（ａ）は、比較例を着用して直立した状態の撮影結果を示す図であり、図１９（ｂ）は、比較例を着用して体を捻った状態の撮影結果を示す図である。同様に、図２０（ａ）は、本実施例の姿勢補整衣類１を着用して直立した状態の撮影結果を示す図であり、図２０（ｂ）は、本実施例の姿勢補整衣類１を着用して体を捻った状態の撮影結果を示す図である。
【０１０７】
図１９（ｂ）によれば、比較例では、第１の背側緊締部３２の下辺部３２ｌ、及び、第２の背側緊締部３４の下辺部３４ｌが縫着されており緊締力が比較的強いので、部分Ｃにしめすように、体を捻るような着用者の動作に対して第１及び第２の背側緊締部３２，３４の下辺部３２ｌ，３４ｌの縫着部分が追従し難く、この縫着部分が突っ張ってしまっている（縦線マーカーが屈曲しているのがわかる。）。その結果、着用者に窮屈感を与えてしまう。
【０１０８】
一方、図２０（ｂ）によれば、第１の背側緊締部３２の下辺部３２ｌ、及び、第２の背側緊締部３４の下辺部３４ｌが縫着されておらず緊締力が比較的弱いので、体を捻るような着用者の動作に対して第１及び第２の背側緊締部３２，３４の下辺部３２ｌ，３４ｌが追従し易く、下辺部３２ｌ，３４ｌが突っ張り難い。その結果、着用者の窮屈感を低減することができた。
【０１０９】
このように、本実施例の姿勢補整衣類１を着用した場合、比較例を着用した場合に比べて、運動追従性を高めることができた。
【０１１０】
なお、図１９（ａ）、図２０（ａ）に示すように、本実施例の姿勢補整衣類１を着用した場合、比較例を着用した場合に比べて、静止状態においても第１及び第２の背側緊締部３２，３４の下辺部３２ｌ，３４ｌが突っ張り難く、着用者の窮屈感を低減することができた。
【符号の説明】
【０１１１】
１，１Ａ，１Ｂ，１Ｃ，１Ｄ，１Ｅ，１Ｆ，１Ｇ，１Ｈ，１Ｉ，１Ｊ，１Ｋ，１Ｌ，１Ｍ…姿勢補整衣類、１０，１０Ａ，１０Ｂ…本体部、１２…カップ部、２０…前側緊締部、２２…第１の前側緊締部、２４…第２の前側緊締部、２６…第３の前側緊締部、２８…重ね合わせ領域、３０，３０Ａ，３０Ｂ，３０Ｃ，３０Ｄ，３０Ｅ，３０Ｇ，３０Ｈ，３０Ｉ，３０Ｊ，３０Ｋ…背側緊締部、３２，３２Ａ，３２Ｂ，３２Ｃ，３２Ｇ，３２Ｈ，３２Ｉ…第１の背側緊締部、３４，３４Ａ，３４Ｂ，３４Ｃ，３４Ｇ，３４Ｈ，３４Ｉ…第２の背側緊締部、３６，３６Ａ，３６Ｂ，３６Ｃ，３６Ｉ…重ね合わせ領域、４０…下裾緊締部、３０ｌ，３２ｌ，３４ｌ，３６ｌ…下辺部、３０ｃｌ，３２ｃｌ，３４ｃｌ…後中心側下辺部、３０ｓｌ，３２ｓｌ，３４ｓｌ…脇側下辺部、３０ｓ，３２ｓ，３４ｓ…脇辺部、３０ｕ，３２ｕ，３４ｕ，３６ｕ…上辺部。
【図１】
0005747643.tif 000002
【図２】
0005747643.tif 000003
【図３】
0005747643.tif 000004
【図４】
0005747643.tif 000005
【図５】
0005747643.tif 000006
【図６】
0005747643.tif 000007
【図７】
0005747643.tif 000008
【図８】
0005747643.tif 000009
【図９】
0005747643.tif 000010
【図１０】
0005747643.tif 000011
【図１１】
0005747643.tif 000012
【図１２】
0005747643.tif 000013
【図１３】
0005747643.tif 000014
【図１４】
0005747643.tif 000015
【図１５】
0005747643.tif 000016
【図１６】
0005747643.tif 000017
【図１７】
0005747643.tif 000018
【図１８】
0005747643.tif 000019
【図１９】
0005747643.tif 000020
【図２０】
0005747643.tif 000021